(57)【要約】  別個の外部の交換可能な電池ユニット（３００）を含み、電池（１１６、２１６、３１６、５１６）と、電池ユニット（３００）を電子価格ラベル（１００、４００）の枠部に着脱自在に固定するように構成された固定手段とを含む、電子価格ラベル用の電池ユニット、および電子価格ラベル。
2018512603.tif 000002
【特許請求の範囲】
【請求項１】
枠部を備えた電子価格ラベルであって、
当該電子価格ラベルは、
電池（１１６、２１６、３１６、５１６）を含む別個の外部の交換可能な電池ユニット（３００）と、
前記電池ユニット（３００）を前記電子価格ラベル（１００、４００、５００）の前記枠部に着脱自在に、または前記枠部との接続状態で固定するように構成された固定手段と、
を含むことを特徴とする、電子価格ラベル。
【請求項２】
前記電子価格レベルは、前記枠部と接続するように取り付けられた第１電気コネクタ部（２２４）および第２電気コネクタ部（２２６）をさらに備え、かつ、
固定手段は、前記電池ユニットの前記電池（１１６、２１６、３１６、５１６）の接続ポールが前記第１電気コネクタ部（２２４）および前記第２電気コネクタ部（２２６）との電気的接触状態になるように、前記電池ユニット（３００）を前記電子価格ラベル（１００、４００、５００）の前記枠部に着脱自在に固定するように構成される
ことを特徴とする、請求項１に記載の電子価格ラベル。
【請求項３】
前記電池（１１６、２１６、３１６、５１６）の単数または複数の前記接続ポールは、前記第１電気コネクタ部（２２４）および／または前記第２電気コネクタ部（２２６）と直接、且つ連続的に電気的接触状態にあることを特徴とする、請求項１または２に記載の電子価格ラベル。
【請求項４】
前記電子価格ラベルはさらに、前記電池の前記接続ポールから前記電子価格ラベルの前記第１電気コネクタ部（２２４）および／または前記第２電気コネクタ部（２２６）に電流を通電するための手段（１２０、１２２、２２０、２２２、３２０、３２２）（１１６、２１６、３１６、５１６）を備え、かつ前記電池の前記単数または複数の接続ポールは、電流を通電する手段（１２０、１２２、２２０、２２２、３２０、３２２）を介して、前記第１電気コネクタ部（２２４）および／または前記第２電気コネクタ部（２２４）と連続的に電気的接触状態にあることを特徴とする、請求項１ないし３のいずれかに記載の電子価格ラベル。
【請求項５】
前記電流を通電するための手段は前記電池（１１６、２１６、３１６、５１６）内に、または前記電池との接触状態で配設されることを特徴とする、請求項１ないし４のいずれかに記載の電子価格ラベル。
【請求項６】
前記電池（１１６、２１６、３１６、５１６）の前記単数または複数の接続ポールは、前記電子価格ラベルと無線で電気的に接触することを特徴とする、請求項１に記載の電子価格ラベル。
【請求項７】
前記電子価格ラベルはさらに、前記電池に接続された一次ループまたは一次巻線、および前記電子価格ラベルの電気部品に接続された二次ループまたは二次巻線を含むことを特徴とする、請求項６に記載の電子価格ラベル。
【請求項８】
前記電子価格ラベル（１００、４００、５００）の表面は基本的に平面状であり、かつ前記電池ユニットは前記電子価格ラベルの前記基本的に平面状の表面に固定されるように構成されることを特徴とする、請求項１ないし７のいずれかに記載の電子価格ラベル。
【請求項９】
前記電子価格ラベルはさらに、前記電子価格ラベルを製品（４３０、４３２、４３４）に固定するための固定手段（１１０、３１０、４１０、５１０）および／またはロック部（１１２、３１２、４１２、５１２）を含むことを特徴とする、請求項１ないし８のいずれかに記載の電子価格ラベル。
【請求項１０】
前記固定手段（１１０、３１０、４１０、５１０）はスタッドまたはスパイクであり、前記ロック部（１１２、３１２、４１２、５１２）は磁気ロックであることを特徴とする、請求項９に記載の電子価格ラベル。
【請求項１１】
前記固定手段（６１０）、前記電子価格ラベルの前記枠部（６０８）、および／または前記電池ユニットは、前記固定手段（６０６）を前記枠部（６０８）の方向の第１位置、および前記枠部（６０８）に対して直角の第２位置に向けることができるように配設されることを特徴とする、請求項９または１０に記載の電子価格ラベル。
【請求項１２】
前記固定手段（６１０）の第２端は基本的に半円形になるように構成されることを特徴とする、請求項１１に記載の電子価格ラベル。
【請求項１３】
前記固定手段および／または前記ロック部は、前記電池ユニット（３００）を前記価格ラベルに固定する固定手段として機能するように構成されることを特徴とする、請求項９ないし１２のいずれかに記載の電子価格ラベル。
【請求項１４】
前記電池ユニット（３００）は前記電池の保護ケース（１０４、３０４、４０４、５０４）を含み、前記保護ケースは前記電池（１１６、２１６、３１６、５１６）用の凹所を形成することを特徴とする、請求項１ないし１３のいずれかに記載の電子価格ラベル。
【請求項１５】
前記電池ユニット（３００）はさらに、前記電池（１１６、２１６、３１６、５１６）と前記電子価格ラベルの前記枠部（１０８、３０８）との間に固定されるように構成された中間部（１０６、３０６、５０６）を含むことを特徴とする、請求項１ないし１４のいずれかに記載の電子価格ラベル。
【請求項１６】
前記中間部（１０６、３０６、５０６）、前記電池（１１６、２１６、３１６、５１６）、および前記電池の前記保護ケース（１０４、３０４、４０４、５０４）は、例えば密閉される基本的に一体的な構成物を形成するように相互に固定されることを特徴とする、請求項１５に記載の電子価格ラベル。
【請求項１７】
前記固定手段（１１０、３１０、４１０、５１０）の少なくとも一部は、前記電池ユニットと前記電子価格ラベルの前記枠部との間に取り付けられることを特徴とする、請求項９ないし１６のいずれかに記載の電子価格ラベル。
【請求項１８】
前記電池ユニット（３００）を前記電子価格ラベルに固定するための固定手段は、例えばねじ（１１４）のような別個の固定手段であることを特徴とする、請求項１ないし１７のいずれかに記載の電子価格ラベル。
【請求項１９】
前記電池ユニットを前記電子価格ラベルに固定するための固定手段は、前記電池ユニットの構造内に、例えば前記保護ケースの構造内に、もしくは当該保護ケースとの接続状態に、かつ／または前記中間部の構造内に、もしくは当該中間部との接続状態に配設されることを特徴とする、請求項１ないし１８のいずれかに記載の電子価格ラベル。
【請求項２０】
前記価格ラベルはさらに、前記中間部を前記保護ケースに固定するための固定手段を含み、かつ前記中間部を前記保護ケースに固定するための固定手段は例えばねじ（１３０、３３０）のような別個の固定手段であることを特徴とする、請求項１５または１６のいずれかに記載の電子価格ラベル。
【請求項２１】
前記価格ラベルはさらに、前記中間部を前記保護ケースに固定するための固定手段を含み、前記中間部を前記保護ケースに固定するための固定手段は、前記保護ケースの構造内に、もしくは当該保護ケースとの接続状態に、かつ／また前記中間部の構造内に、もしくは当該中間部との接続状態に配設されることを特徴とする、請求項１５または１６に記載の電子価格ラベル。
【請求項２２】
前記第１電気コネクタ部（２２４）および前記第２電気コネクタ部（２２６）、ならびに／または前記電流を通電するための手段（１２０、１２２、２２０、２２２、３２０、３２２）は、少なくとも部分的にばね型、例えばばね、または一種のポゴピンであり、あるいはばね手段を形成することを特徴とする、請求項１ないし２１のいずれかに記載の電子価格ラベル。
【請求項２３】
前記電子価格ラベルはさらに、例えばＲＦＩＤ識別子のような遠隔読取可能な識別子（５４０）を含むことを特徴とする、請求項１ないし２２のいずれかに記載の電子価格ラベル。
【請求項２４】
遠隔読取可能な識別子（５４０）は、前記電池ユニットとの接続状態に、例えば前記電池の前記保護ケース（５０４）との接続状態に配設されることを特徴とする、請求項２３に記載の電子価格ラベル。
【請求項２５】
電流が切断されたときに情報を保持するように構成されたメモリ、例えばＥＥＰＲＯＭ（電気的に消去可能なプログラマブル読出専用メモリ）メモリをさらに含むことを特徴とする、請求項１ないし２４のいずれかに記載の電子価格ラベル。
【請求項２６】
前記電子価格ラベルに接続状態に取り付けられた前記第１電気コネクタ部（２２４）および前記第２電気コネクタ部（２２６）は、前記電池（１１６、２１６、３１６、５１６）の前記接続ポールから前記電子価格ラベル（１００、４００、５００）の前記回路基板および／またはディスプレイ（１０２、４０２）に電流を通電するように構成されることを特徴とする、請求項１ないし２５のいずれかに記載の電子価格ラベル。
【請求項２７】
太陽電池が前記保護ケース（３０４）に接続するように配設され、それによって前記電池（３１６）を充電することができることを特徴とする、請求項１ないし２６のいずれかに記載の電子価格ラベル。
【請求項２８】
電子価格ラベル用の電池ユニットであって、
電池（３１６）と、
前記電池の保護ケース（３０４）と、
中間部（３０６）と、
前記電子価格ラベルを製品に固定するための固定手段（３１０）と、
を含むことを特徴とする、電子価格ラベル用の電池ユニット。
【請求項２９】
前記電池ユニットはさらに、電池（３１６）の単数または複数の接続ポールから電子価格ラベルの第１電気コネクタ部および第２電気コネクタ部に電流を通電するための手段（３２０、３２２）を含むことを特徴とする、電子価格ラベル用の電池ユニット。
【請求項３０】
前記電池（３１６）、前記電池の保護ケース（３０４）、および中間部（３０６）は、それらが本質的に一体的な構成物を形成するように相互に固定されることを特徴とする、請求項２８または２９に記載の電池ユニット。
【発明の詳細な説明】
【技術分野】
【０００１】
本発明は電子価格ラベルシステムに関する。本発明はさらに詳しくは、電子価格ラベルおよびその交換可能な電池ユニット用の固定装置に関する。
【０００２】
本発明の一実施形態によれば、本発明に係る交換可能な電池ユニット用の固定装置は例えば、電子ディスプレイを備えた様々な電子ラベルに使用することができる。これらのタイプのディスプレイとして例えば、小売店および倉庫における製品の価格情報および他の製品情報を示すための電子ディスプレイがある。
【背景技術】
【０００３】
従来、価格ラベルの価格情報は、製品の価格が変わるときに手動で変更される。新しい価格ラベルは紙または対応する材料に印字され、新しい価格が表記されたこれらのラベルは、製品または販売店舗の棚の予約された位置に手動で配置される。したがって、従業員は最初に、更新すべき価格ラベルの正しい位置を見つけ、この後で以前の価格ラベルを取り外して破棄し、新しい価格ラベルをその位置に配置する。この手はずにおける数ある中の１つの欠点は、この手はずが非常に面倒な作業であり、間違うリスクが高いことである。間違いがあった場合、例えば棚の価格ラベルの価格情報が支払いレジシステムの価格情報と相違する状況が発生し得る。
【０００４】
上述した欠点を回避するために、電子ラベルが製品上にまたは製品の近くに固定され、製品の価格情報をシステムの管理センタからまたは対応する部署から中央で変更することのできる、電子システムが開発された。これは価格情報の更新を可能にし、かつそれを著しく高速化する。ディスプレイ上の情報は、システムに応じて有線または無線で更新することができる。
【０００５】
特許文献１から無線電子価格ラベルを使用するシステムは知られている。この文献に提示された無線層構造電子価格ラベルの特性は優れている。しかし、価格ラベルが電池切れになり、電池交換が切望される状況が発生した。
【０００６】
また、電池を交換することが可能な電子価格ラベルも当技術分野で知られている。これらの電子価格ラベルは硬質シェルを有し、電池の交換は電子価格ラベルの枠体の内側の硬質電池筐体によって可能になった。これらの価格ラベルは構造的に固く柔軟性を欠いており、特許文献１から公知の電子価格ラベルのように可撓性ではない。したがって、当業界で周知の上述した解決策では、電池は電子価格ラベルの枠部内に配置される。この場合、価格ラベルの枠部は大きい厚さになるように形成しなければならない。枠部内の電池の位置もまた、電子価格ラベルの枠部の構造に他の制約を課す。
【先行技術文献】
【特許文献】
【０００７】
【特許文献１】国際特許公開第２００９／１０３８５７Ａ１号公報
【発明の概要】
【発明が解決しようとする課題】
【０００８】
本発明の目的は、上述した問題を軽減し、かつ同時に、安価かつ信頼できる電子価格ラベルと、電子価格ラベルの別個の外部電池ユニット用の固定装置とを同時に可能にすることである。
【課題を解決するための手段】
【０００９】
本発明は、電子価格ラベルが別個の外部電池ユニットを備え、それが電池を含むという概念に基づいている。該構成は、電池ユニットを電子価格ラベルの枠部に着脱自在に固定するように構成された固定手段をさらに備える。
【００１０】
本発明に係る電子価格ラベルは、請求項１に記載する特徴を備える。
【００１１】
本発明に係る電子価格ラベルの実施形態は、請求項２ないし２６に記載する特徴を備える。
【００１２】
本発明に係る電子価格ラベル用の電池ユニットは、請求項２７に記載する特徴を備える。
【００１３】
本発明に係る電子価格ラベル用の電池ユニットの実施形態は、請求項２８ないし２９に記載する特徴を備える。
【００１４】
本発明に係る解決策は、当業界で周知の解決策と比較して、複数の重要な利点を有する。例えば国際特許公開第２００９１０３８５７号公報に記載された当業界で周知の電子価格ラベルと比較すると、本発明に係る価格ラベルの電池は交換することができ、したがって、例えば電池が空になるかあるいは故障したときに常に価格ラベルを新しい価格ラベルと交換する必要が無い。これはコストを節約するだけでなく、自然環境をも救う。
【００１５】
他方、本発明に係る解決策を、交換可能な電池が電子価格ラベルの枠構造内部に配置される当業界で周知の電子価格ラベルと比較して、本発明の利点は、電池が枠部の外部に設置されかつ固定されるので、枠部が電池によって課せられる制約を受けることなく設計かつ形成できることである。本発明の解決策によって、電池が当業界で周知の解決策のように枠部の内側に位置しないので、例えば構造的に薄い軽量の電子価格ラベルを形成することが可能である。
【００１６】
本発明の一実施形態では、電子価格ラベルは、枠部と接続するように取り付けられた第１電気コネクタ部および第２電気コネクタ部を含み、電池ユニットは、電池ユニットの電池の接続ポールが第１電気コネクタ部および第２電気コネクタ部と電気的に接触するように、電子価格ラベルの枠部に固定されるように構成される。
【００１７】
本発明の一実施形態では、電池から電子価格ラベルへ、およびその電気部品へのエネルギおよび電流の伝達は、無線で実行することができる。この実施形態では、電池と電子価格ラベルの電気部品との間の直接的な物理的電気接続および導体はしたがって不要であり、電子価格ラベルの枠部および／または中間部または中間部によって形成されるエンティティの表面の電気コネクタおよび保護ケースもまた不要である。
【００１８】
本発明の一実施形態では、電池ユニットは、電池の保護ケース、および／または電池と電子価格ラベルの枠部との間に固定することのできる中間部をさらに含む。
【００１９】
本発明の一実施形態では、電子価格ラベルは、電子価格ラベルを製品に固定するための固定手段および／またはロック部を含む。固定手段は例えばスタッドまたはスパイクとすることができ、ロック部は例えば磁気ロックとすることができる。この実施形態の利点は、このようにして電子価格ラベルを製品に容易に固定できることである。
【００２０】
本発明の一実施形態では、電池ユニットを電子価格ラベルに固定するための固定手段は、例えばねじのような別個の固定手段である。本発明の別の実施形態では、電池ユニットを電子価格ラベルに固定するための固定手段は、電池ユニットの構造内にもしくはそれとの接続状態に、例えば保護ケースの構造内にもしくはそれとの接続状態に、かつ／または中間部の構造内にもしくはそれとの接続状態に配設される。本発明の一実施形態では、固定手段は前述した両方の固定手段から形成される。本発明の一実施形態では、製品に固定される電子価格ラベルの固定手段および／またはロック部は、電池ユニットを電子価格ラベルに固定する固定手段として機能するように構成される。
【００２１】
本発明の一実施形態では、電子価格ラベルは、電池の保護ケースを中間部に固定するように構成された第２固定手段をさらに含む。保護ケースおよび中間部によって形成される電池ユニットアセンブリは、多くの着脱自在の小型部品が構造内に存在しない場合、交換がより容易になるので、これは電池を交換するときに有利である。
【００２２】
以下で、添付の図面に関連して本発明の実施形態の幾つかの実施例を用いて、本発明をさらに詳しく説明する。
【図面の簡単な説明】
【００２３】
【図１Ａ】前方から斜めに見た本発明の一実施形態に係る電子価格ラベルの構造を提示する。
【図１Ｂ】後部から斜めに見た本発明の一実施形態に係る電子価格ラベルの構造を提示する。
【図１Ｃ】前方から斜めに見た本発明の一実施形態に係る電子価格ラベルの構造の分解組立図を提示する。
【図１Ｄ】後部から斜めに見た本発明の一実施形態に係る電子価格ラベルの構造の分解組立図を提示する。
【図１Ｅ】前方から斜めに見た本発明の一実施形態に係る電子価格ラベルの構造の分解組立図を提示する。
【図１Ｆ】後方から斜めに見た本発明の一実施形態に係る電子価格ラベルの構造の分解組立図を提示する。
【図１Ｇ】横から見た本発明の一実施形態に係る電子価格ラベルの構造の分解組立図を提示する。
【図１Ｈ】本発明の一実施形態に係る電子価格ラベルの構造の断面図を提示する。
【図１Ｉ】電子価格ラベルの前方側から見た本発明の一実施形態に係る電子価格ラベルの構造を提示する。
【図１Ｊ】本発明の一実施形態に係る電子価格ラベルの構造の拡大断面図を提示する。
【図１Ｋ】本発明の一実施形態に係る電子価格ラベルの構造の拡大断面図を提示する。
【図２Ａ】下から見た本発明の一実施形態に係る電子価格ラベルの電池部を提示する。
【図２Ｂ】上から見た本発明の一実施形態に係る電子価格ラベルの電池部を提示する。
【図２Ｃ】横から見た本発明の一実施形態に係る電子価格ラベルの電池部を提示する。
【図２Ｄ】上方から斜めに見た本発明の一実施形態に係る電子価格ラベルの電池部を提示する。
【図２Ｅ】下方から斜めに見た本発明の一実施形態に係る電子価格ラベルの電池部を提示する。
【図３Ａ】前方から斜めに見た本発明の一実施形態に係る電子価格ラベルの電池ユニットの構造を提示する。
【図３Ｂ】後方から斜めに見た本発明の一実施形態に係る電子価格ラベルの電池ユニットの構造を提示する。
【図３Ｃ】前方から斜めに見た本発明の一実施形態に係る電子価格ラベルの電池ユニットの構造の分解組立図を提示する。
【図３Ｄ】後方から斜めに見た本発明の一実施形態に係る電子価格ラベルの電池ユニットの構造の分解組立図を提示する。
【図４Ａ】本発明の一実施形態に係る価格ラベルの製品への固定を提示する。
【図４Ｂ】本発明の一実施形態に係る価格ラベルの製品への固定を提示する。
【図４Ｃ】本発明の一実施形態に係る価格ラベルの製品への固定を提示する。
【図５Ａ】前方から斜めに見た、電子価格ラベルに遠隔読取可能な識別子が組み込まれた、本発明の一実施形態に係る電子価格ラベルの構造の分解組立図を提示する。
【図５Ｂ】後方から斜めに見た、電子価格ラベルに遠隔読取可能な識別子が組み込まれた、本発明の一実施形態に係る電子価格ラベルの構造の分解組立図を提示する。
【図５Ｃ】電子価格ラベルに遠隔読取可能な識別子が組み込まれた、本発明の一実施形態に係る電子価格ラベルの構造の拡大断面図を提示する。
【図５Ｄ】電子価格ラベルに遠隔読取可能な識別子が組み込まれた、本発明の一実施形態に係る電子価格ラベルの構造の分解組立断面図を提示する。
【図６Ａ】本発明の一実施形態に係る電子価格ラベルの構造の断面図を提示する。
【図６Ｂ】電子価格ラベルの前方側から見た本発明の一実施形態に係る電子価格ラベルの構造を提示する。
【図６Ｃ】本発明の一実施形態に係る電子価格ラベルの構造の拡大断面図を提示する。
【図６Ｄ】本発明の一実施形態に係る電子価格ラベルの構造の拡大断面図を提示する。
【発明を実施するための形態】
【００２４】
図１Ａ〜図１Ｋは、本発明に係る電子価格ラベル１００およびそれに接続される電池固定装置の簡略図を提示する。図１Ａは前方から斜めに見た電子価格ラベルを提示し、図１Ｂは後方から斜めに見た電子価格ラベルを提示する。
【００２５】
電子価格ラベル１００は通常、製品の価格情報および／または製品情報を表示するように構成された積層ディスプレイ１０２を含む。例えば製品名のような製品に関する他の情報も、電子価格ラベルの前面に提示することができる。電子ラベルの枠部１０８は、その材料および構造に関して、硬質、または代替的に弾性かつ可撓性とすることができる。電子価格ラベルの電子部品は枠部１０８の内部に、あるいはそれとの接続状態に配置することができる。電子価格ラベルのディスプレイ１０２にはディスプレイセグメントまたはピクセルが設けられる。電子価格ラベル１００は紙の価格ラベルに類似しており、基本的に二色のディスプレイ１０２のセグメントまたはピクセルの色を変えることによって、製品の必要不可欠な価格および他の必要な記号が形成される。本発明の一実施形態ではディスプレイは多色とすることができる。
【００２６】
ディスプレイ１０２の１つの層は例えば活性インク層である。インク層は、正の表面電荷を有する例えば基本的に黒色の粒子を含有する液体が充填された複数のマイクロカプセルを含み、マイクロカプセルの位置は、所望のディスプレイセグメントに黒色粒子が着き、上述したディスプレイセグメントを上から見ると黒く見え、かつ他のディスプレイセグメントに白色粒子が着き、これらのディスプレイセグメントを上から見ると白く見えるように、電界により制御される。ディスプレイ１０２の背景は同じマイクロカプセルから形成され、例えば価格情報は明るい背景に濃色の数字として、あるいは希望する場合はその逆に表示することができる。使用されるこの型のディスプレイは、例えばフィンランド特許出願公開第２００５０１９２号明細書に記載された電気泳動マイクロカプセルディスプレイ積層体とすることができる。
【００２７】
図１Ａ〜図１Ｋはまた、本発明の一実施形態に係る電池ユニットを提示し、この電池ユニットは電池の保護ケース１０４を含み、このケースは電池１１６用の凹所を形成する。本発明に係る解決策では、保護ケースによって形成された凹所に配置することのできる電池１０６が電子価格ラベルと接続した状態を維持するように、かつ電池の接続ポールが電子価格ラベルの電気コネクタ部１２４、１２６と連続的に電気的接触状態にあるように、保護ケース１０４は、電子価格ラベルの外面に着脱自在に固定されるように構成される。電子価格ラベルと接続するように取り付けられた電気コネクタ部、および／またはそれらと接続するように取り付けられた電流を通電するための手段１２０、１２２は、交換可能な電池の接続ポールから電子価格ラベルの回路基板および／またはディスプレイに電流を通電するように構成される。本発明の一実施形態では、電子価格ラベルの表面は基本的に平面状であり、電池の保護ケースは、価格ラベルの基本的に平面状の表面に固定されるように構成される。
【００２８】
図１Ａ〜図１Ｋに提示する実施形態では、電池の保護ケース１０４は第１ねじ１１４で電子価格ラベルに固定されている。電池の保護ケースを固定するために使用される第１固定手段は、他の固定手段とすることもできる。本発明の一実施形態では、保護ケースを電子価格ラベルに固定するための固定手段は別個の固定手段である。本発明の別の実施形態では、保護ケースを電子価格ラベルに固定するための固定手段は、保護ケースの構造内に、またはそれとの接続状態に配設される。この実施形態では、固定手段は例えば保護ケースの突起および／または突起上の舌片とすることができ、その場合、電子価格ラベルには突起用の穴が存在することができ、かつ保護ケースは適所へのスナップ嵌めにより電子価格ラベルに取り付けることができる。ねじのような固定手段は、それらが見えないように、かつ価格ラベルが製品に固定されるときにそれらが剥離できないように、配置することができる。
【００２９】
電子価格ラベルは、電子価格ラベルを製品に固定するための固定手段１１０および／またはロック部１１２を有することもできる。電子価格ラベルの枠部１０８はアパーチャを有することができ、それを介して固定手段を取り付けることができる。固定手段１１０は例えばスタッドまたはスパイク（鋭利物、鋭利体、尖った物）とすることができ、ロック部１１２は例えば磁気ロックとすることができる。本発明の一実施形態では、固定手段および／またはロック部は、保護ケースを電子価格ラベルに固定するための固定手段として機能するように構成される。固定手段は、電池ユニットを取り外すことなく固定手段を切り離すことができないように、本発明の解決策に配置される。
【００３０】
本発明の一実施形態では、該構成は中間部１０６をも含むことができる。図１Ａ〜図１Ｋに提示された実施形態では、中間部１０６は、電池の保護ケース１０４と電子価格ラベルの枠部１０８および／または電池との間に少なくとも部分的に配設される。中間部１０６はまた固定手段１１０と接続するように取り付けることもできる。本発明の一実施形態では、保護ケースを電子価格ラベルに固定するための固定手段は、中間部１０６の構造内に、またはそれとの接続状態に配設される。
【００３１】
本発明の一実施形態では、電池の保護ケース１０４は第２ねじ１３０で中間部に固定される。電池の保護ケースを中間部に固定するために使用される第２固定手段は、他の固定手段とすることもできる。本発明の一実施形態では、保護ケースを中間部に固定するための固定手段は別個の固定手段である。本発明の別の実施形態では、保護ケースを中間部に固定するための固定手段は、保護ケースの構造内に、もしくはそれとの接続状態に、かつ／または中間部の構造内に、もしくはそれとの接続状態に、配設される。この実施形態では、固定手段は例えば保護ケースの突起および／または中間部の突起および／または突起上の舌片とすることができ、その場合、中間部および／または保護ケースに突起用の穴が存在することができ、保護ケースはスナップ嵌めにより中間部の適所に取り付けることができる。
【００３２】
図１Ｅおよび図１Ｆに中間部の構造をより詳細に提示する。当該図は、本発明に係る構成の一実施形態に係る解決策の構造の分解組立図を提示する。電池の保護ケース１０４は、片側に開いた空間が保護ケース１０４の内側に形成されるように、交換可能な電池１１６用の凹所を形成し、電池１１６が所定の位置に設置されるときに、交換可能な電池１１６の基本的に周囲の空間は凹所に設置される。
【００３３】
保護ケース１０４はさらに、電池１１６の少なくとも１つの接続ポールから電子価格ラベルの電気コネクタ部に電流を通電するための手段、または電流を通電するための手段用の空間を含むことができる。中間部１０６もまた、電池１１６の少なくとも１つの接続ポールから電子価格ラベルの電気コネクタ部に電流を通電するための手段を含むことができる。図１Ａ〜図１Ｋに提示された実施形態では、電池１１６の単数または複数の接続ポールから電子価格ラベルの第１電気コネクタ部および／または第２電気コネクタ部に電流を通電するための手段１２０、１２２は、電池との接続状態に配設され、この場合、保護ケース１０４および／または中間部１０６に電流を通電するための別個の手段は不要である。電流を通電するための手段２２０、２２２は例えば溶接によって電池に固定することができる。電流を通電するための手段は少なくとも部分的にばね型、例えばばね、または一種のポゴピンとすることができ、あるいはそれらはばね手段を形成することができる。
【００３４】
本発明に係る構造によって、電池１１６の接続ポールから電子価格ラベルの第１電気コネクタ部１２４および／または第２電気コネクタ部１２６への連続的かつ確実な電気的接触を形成することができる。図１Ｊおよび図１Ｋは、この実施形態で、電池と接続された電流を通電するための第１手段１２２によって、１つの電池１１６がその接続ポールから電子価格ラベルの第１電気コネクタ１２４にいかにして電気的に接続されるか、かつ電池と接続された電流を通電するための第２手段１２０によって、他の電池１１６が接続ポールから電子価格ラベルの第２電気コネクタ１２６にいかにして電気的に接続されるかを提示する。当該図１Ｊおよび図１Ｋは、該構成および電子価格ラベルの構造を、電気コネクタ部１２４、１２６に対応する位置における断面図として提示し、そのうちの図１Ｊの断面図は、第２コネクタ部１２６の位置で作成され、図１Ｋの断面図は第１の導電性コネクタ部１２４の位置で作成されたものである。図１Ｃ、図１Ｅ、図１Ｉ、図１Ｊ、および図１Ｋに提示された電気コネクタ部１２４、１２６は、電池の接続ポールを電子価格ラベルの回路基板および／またはディスプレイのような電気部に接続する。図１Ｉ、図１Ｊ、および図１Ｋは、例として、電気コネクタ部１２４、１２６を価格ラベルの枠部の構造内部にどのように配置することができるかを提示する。
【００３５】
本発明の一実施形態では、電子価格ラベル、交換可能な電池の保護ケース、および／または中間部に位置合わせ部が存在し、この位置合わせ部によって、上述した部品は常に正しい姿勢で設置される。
【００３６】
図２Ａ〜図２Ｅは、本発明の一実施形態に係る交換可能な電池部を提示しており、該部品は電池２１６と、電流を通電するための第１手段２２０と、電流を通電するための第２手段２２２とを含む。電流を通電するための手段２２０、２２２は、電池２１６に堅く固定することができる。この場合、電池２１６および電流を通電するための手段２２０、２２２によって形成されたエンティティ（構成物、構造体、要素）は、電子価格ラベルに容易に再配置され、電池２１６と電流を通電するための手段２２０、２２２との間の確実な電気的接触を形成する。電流を通電するための手段２２０、２２２は、電池が電子価格ラベルの適所に設置されたときに、電流を通電するための手段が電池２１６の接続ポールと電子価格ラベルの電気コネクタ部との間の電気接続を形成するように構成される。図２Ａ〜図２Ｂに提示された電流を通電するための手段２２０、２２２は、図１Ａ〜図１Ｋに提示された実施形態と同様である。そういう事情で、それらは少なくとも部分的にばね型、例えばばね、または一種のポゴピンとすることができ、あるいはそれらはばね手段を形成することができる。
【００３７】
図３Ａ〜図３Ｄは、本発明の一実施形態に係る電池ユニット３００を提示しており、それによって電子価格ラベルを製品に固定することができ、かつそれによって電池を価格ラベルに電気的に接続することができる。電池ユニット３００は電池３１６から形成され、その片側には電池用の保護ケースが配置され、かつその反対側には中間部３０６および中間部と接続するように取り付けられた固定手段３１０がある。電池の接続ポールから電子価格ラベルへの電気的接触は電流を通電するための手段３２０、３２２により形成され、この手段は電池３１６と接続することができる。この実施形態の解決策における上述した部品は、図１Ａ〜図１Ｋに提示された実施形態におけるものと同様である。本発明の一実施形態では、電池ユニットは固定手段を含まない。
【００３８】
図３Ａ〜図３Ｄに提示された実施形態では、中間部３０６および／または電池の保護ケース３０４は、第１固定手段により電子価格ラベルに、かつ第２固定手段により電池の保護ケースに固定することができる。図３Ａ〜図３Ｄに提示された実施形態では、中間部３０６は２つのねじ３３０により電池の保護ケースに固定され、この場合、電池３１６、中間部３０６、および電池の保護ケース３０４はエンティティを形成する。この後、電池３１６、中間部３０６、および電池の保護ケース３０４によって形成されたエンティティはさらに、ねじにより、例えば２つの第１ねじにより、電子価格ラベルに固定することができる。中間部３０６には固定手段３１０用の凹所があり、電池、中間部、および電池の保護ケースによって形成されたエンティティが電子価格ラベル内に固定されている場合、固定手段３１０が凹所に配置されたとき、かつこれが電子価格ラベルのアパーチャに挿通された後、固定手段は電子価格ラベルに、および中間部３０６と電子価格ラベルとの間の固定装置に、適切に取り付けられた状態を維持する。中間部および電池の保護ケースは相互に固定されるので、電池、中間部、および電池の保護ケースによって形成されたエンティティは、例えば電池が消耗したときに、電子価格ラベルに戻すことが容易である。構造のおかげで、ユーザは電池の固定装置の部品を紛失することが無い。
【００３９】
図３Ａ〜図３Ｄに提示された電池ユニット３００は、電子価格ラベルを使用する組織または小売店に既成ユニットとして配達することができ、その場合、価格ラベルの電池の交換は容易かつ迅速である。電池ユニットは、例えば固定手段が電子価格ラベルに、つまり電子価格ラベルのアパーチャに挿通されるように、かつ固定手段がロック部に押し込まれるのと同時に、価格ラベルに固定することができ、ロック部により電池ユニットは電子価格ラベルに緊締される。ロック部として磁気ロックが使用される場合、例えば支払いレジで盗難防止警報を解除するために使用されているような磁気ロック解除器により、固定を解除することができる。ねじを使用するなど、電池ユニットを価格ラベルに固定するための他の種類の固定手段も可能である。
【００４０】
図４Ａ〜図４Ｃは、本発明に係る電子価格ラベル４００、すなわち保護カバー４０４を備えた電池ユニットを有するラベルを固定手段４１０およびロック部４１２によって、どのように製品４３０、４３２、４３４に固定することができるかを提示する。この場合、固定手段４１０は製品４３０、４３２、４３４に、または製品４３０、４３２、４３４におけるアパーチャに挿通され、ロック部４１２は固定手段４１０の第２端に固定され、ロック部の解除は解除用に意図された解除器によってのみ行われる。このようにして、電子価格ラベルは製品に確実に取り付けられた状態を維持するが、例えば支払いレジで、適切な正式の解除器により製品から容易に取り外すことができる。この場合、電子価格ラベルおよび／またはロック部が盗難防止警報システムの構成部品を含むときは、支払いレジで構成部品を取り外すことができる。製品４３０、４３２、４３４は例えば衣料品とすることができる。
【００４１】
図５Ａ〜図５Ｄに提示された実施形態は、図５Ａ〜図５Ｄに提示された電子価格ラベルの固定装置の実施形態が例えばＲＦＩＤ識別子のような遠隔読取可能な識別子５４０をも含むことを除いては、これまでの図に提示された実施形態と同様である。絶縁部５４２もまた遠隔読取可能な識別子５４０と接続することができる。絶縁部５４２は平面状とすることができ、かつそれは電池５１６と遠隔読取可能な識別子５４０との間に配置することができ、その場合、絶縁部５４２は遠隔読取可能な識別子５４０を電池５１６から絶縁する。絶縁部５４２は例えばプラスチック材製とすることができる。遠隔読取可能な識別子５４０は電池の保護ケース５０４との接続状態に配設され、かつそれに基づいて、遠隔読取可能な識別子５４０および電池５１６の両方が保護ケース内に取り付けることができるように配設される。この実施形態では、固定装置もまた中間部５０６および固定手段５１０およびロック部５１２をも含むことができる。
【００４２】
図５Ａ〜図５Ｄに提示された実施形態の、交換可能な電池の接続ポールから電子価格ラベルに電流を通電するための手段５２０は、保護ケースおよび中間部との接続状態に配設されるが、価格ラベルが遠隔読取可能な識別子を含む場合、電池の接続ポールから電子価格ラベルに電流を通電するために、他の実施形態と同様の手段を使用することもできる。
【００４３】
図５Ａ〜図５Ｄに提示された実施形態の利点は、ＲＦＩＤ識別子のような遠隔読取可能な識別子が、電子価格ラベルの例えば盗難防止機能のような追加機能を可能にすることである。これに加えて、遠隔読取可能な識別子は電子価格ラベルの最上部に位置するので、価格ラベルの底部に電子価格ラベルシステムのアンテナを配設することができ、この場合、アンテナおよび遠隔読取可能な識別子は相互に可能な限り最も遠くに離れているので、遠隔読取可能な識別子からの電子価格ラベルシステムのアンテナへの干渉は可能な限り最小限である。
【００４４】
図６Ａ〜図６Ｄに提示された実施形態は、図６Ａ〜図６Ｄに提示された電子価格ラベルの固定装置の実施形態の固定手段６１０を下方に曲げることができることを除いては、これまでの図に提示された実施形態と同様である。この場合、配達中および保管中に、電池の保護ケース６０４、電池６１６、中間部６０６、および固定手段６１０を含む電池ユニットを備えた電子価格ラベルは、固定手段６１０が電子価格ラベルの枠部６０８に当接するように下方に曲げられたときに、その寸法が小さくなる。
【００４５】
図６Ｄは、電子価格ラベルを製品を固定したいときに、固定手段６１０をいかにして電子価格ラベルの枠部６０４に対して直角に変えることができるかを提示し、この場合、ロック部６１２は固定手段６１０の端部に設置することができ、それによって電子価格ラベルを製品にロックすることができる。
【００４６】
図６Ａ〜図６Ｄに提示された実施形態の固定手段６１０、電子価格ラベルの枠部６０８、電池ユニット、および／または電池ユニットの中間部６０６は、固定手段６１０が電子価格ラベルに取り付けられた状態に維持されるが、同時に枠部６０８と接触する第１位置から枠部６０８に対して直角の第２位置に変えることができ、かつ希望する場合、枠部６０８と接触する第１位置に戻すことができるように構成される。これは例えば図に描かれている方法で実現することができ、その場合、電子価格ラベルおよび電池ユニットに接続される固定手段６１０の端部は半円形になるように形成され、固定手段６１０用のアパーチャおよび／または空間が、電子価格ラベルの枠部６０８、電池ユニット、および／または中間部６０６の適切な位置に配設される。アパーチャおよび／または空間は、固定手段６１０の半円形端部が嵌合してその両極端位置の間で回転するように構成することができる。本発明の一実施形態では、固定手段６１０、アパーチャ、および／または空間は、固定手段６１０が電子価格ラベルの枠部６０８に対して直角の姿勢を取ったときに、固定手段６１０が所定の位置にロックされるように構成される。
【００４７】
本発明の一実施形態では、電池の代わりに、アキュムレータのような別の交換可能な電圧源を使用することができる。
【００４８】
本発明の一実施形態では、電池から電子価格ラベルへ、およびその電気部品へのエネルギおよび電流の伝達は、無線で実行することができる。これは、例えば、電磁気の誘導が誘導結合を介して短距離のエネルギの伝達を可能にする、誘導充電の原理に基づいて達成することができる。この場合、電池に一次ループまたは一次巻線が接続され、電子価格ラベルおよび／または電子価格ラベルの電気コネクタ部に二次ループまたは二次巻線が接続される。このようにして、一次ループまたは一次巻線を介して二次ループまたは二次巻線にエネルギを伝達することができ、二次ループまたは二次巻線は例えば回路基板および／またはディスプレイのような電子価格ラベルの電気部品に電気的に接続される。この実施形態では、したがって、電池と電子価格ラベルの電気部品との間の直接的な物理的電気接続は不要であり、電子価格ラベルの枠部および／または中間部の表面、または中間部と保護ケースとによって形成されるエンティティの表面の電気的接続部も不要である。このようにして、より単純な構造が得られ、電池を正しい位置にかつ電子価格ラベルから正しい距離に持っていくだけでよく、電流を通電するための物理的手段によって電気的接触が行われる場合のように正確に電池を配置する必要が無いので、電池およびその周囲の組立体の交換はより容易になる。また、コネクタを目に見えるようにする必要が無いので、コネクタが損傷するリスクが最小化される。
【００４９】
本発明の一実施形態では、電子価格ラベルは、電流が切断されたときに情報を保持するように構成されたメモリを含む。メモリは、例えばＥＥＰＲＯＭ（電気的に消去可能なプログラマブル読出専用メモリ）メモリとすることができる。このメモリにより、電子ラベルのメモリ内の情報は電池の交換中も保持され、電子価格ラベルは電池の交換後に再プログラムする必要が無い。
【００５０】
本発明の一実施形態では、電子価格ラベルの枠部、前面、および／または後面は基本的に可撓性である。本発明の一実施形態では、価格ラベルの枠部、前面、および／または後面は基本的に硬質かつ非可撓性である。
【００５１】
本発明の一実施形態では、保護ケースは少なくとも部分的に半透明であり、電池に接続して保護ケースの内部に例えば太陽電池が配設され、それにより、太陽光または他の光が太陽電池に降り注ぐときに、電池を充電することができる。本発明の別の実施形態では、電池の保護ケースは透明である必要は無いが、代わりに太陽電池は保護ケースの外面に取り付けられ、導体により電池および／またはその充電装置に接続される。
【００５２】
本発明は上に提示した実施形態に限定されず、以下に提示する特許請求の範囲内で異なることができることは、当業者には明らかである。相互に関連して掲げた記載で提示した特徴は、独立した特徴とすることもできる。
【図１Ａ】
2018512603.tif 000003
【図１Ｂ】
2018512603.tif 000004
【図１Ｃ】
2018512603.tif 000005
【図１Ｄ】
2018512603.tif 000006
【図１Ｅ】
2018512603.tif 000007
【図１Ｆ】
2018512603.tif 000008
【図１Ｇ】
2018512603.tif 000009
【図１Ｈ】
2018512603.tif 000010
【図１Ｉ】
2018512603.tif 000011
【図１Ｊ】
2018512603.tif 000012
【図１Ｋ】
2018512603.tif 000013
【図２Ａ】
2018512603.tif 000014
【図２Ｂ】
2018512603.tif 000015
【図２Ｃ】
2018512603.tif 000016
【図２Ｄ】
2018512603.tif 000017
【図２Ｅ】
2018512603.tif 000018
【図３Ａ】
2018512603.tif 000019
【図３Ｂ】
2018512603.tif 000020
【図３Ｃ】
2018512603.tif 000021
【図３Ｄ】
2018512603.tif 000022
【図４Ａ】
2018512603.tif 000023
【図４Ｂ】
2018512603.tif 000024
【図４Ｃ】
2018512603.tif 000025
【図５Ａ】
2018512603.tif 000026
【図５Ｂ】
2018512603.tif 000027
【図５Ｃ】
2018512603.tif 000028
【図５Ｄ】
2018512603.tif 000029
【図６Ａ】
2018512603.tif 000030
【図６Ｂ】
2018512603.tif 000031
【図６Ｃ】
2018512603.tif 000032
【図６Ｄ】
2018512603.tif 000033
【国際調査報告】
2018512603.tif 000034
2018512603.tif 000035
2018512603.tif 000036
2018512603.tif 000037